(57)【特許請求の範囲】
【請求項１】
外郭を構成する架枠の内部を縦に仕切る縦仕切りと、同じく横に仕切る横仕切りとを有し、これら各仕切りにより区画されたスペースを個々に開閉するキーロック可能な開閉扉を備えたネットワーク機器類収納用ラックにおいて、前記縦仕切りは、前後の縦枠と、これら縦枠間を繋ぐ複数の横枠とを備え、少なくとも一面側の縦枠には上下の横枠間にスライドして挿入される縦仕切り板を挿通するスリット状の縦仕切り板挿通孔を設け、前記横仕切りは前記横枠間に取り付けて機器載置棚を構成し、前記一面側の縦枠の外面には縦仕切り板挿通孔を隠蔽するロック部材を添設し、このロック部材を縦枠にキーロックするようにしたことを特徴とするネットワーク機器類収納用ラック。
【請求項２】
前記ロック部材のキーはデータセンター事業者等の管理下におかれ、前記開閉扉のキーはユーザの管理下におかれるようにされている請求項１記載のネットワーク機器類収納用ラック。
【請求項３】
前記横枠の側面にその前後方向にレールを形成し、このレールにそって前記横仕切りの側縁をスライド自在に係合して着脱可能とされている請求項１または２記載のネットワーク機器類収納用ラック。
【発明の詳細な説明】
【０００１】
【発明の属する技術分野】
本発明はネットワーク機器類の収納用ラックに関する。
【０００２】
【従来の技術】
昨今のインターネットの急激な普及によりインターネット上でのビジネスを展開する企業が急増している。
【０００３】
このような状況の中で上記のような企業向けにサーバ等を預かり、高いセキュリティや安全性を提供するデータセンター事業も急成長を遂げている。
【０００４】
一般的なデータセンター内での運用としては、データセンター内に複数のサーバ機器収納用ラックを設置し、企業のビジネス規模の大小に対応するためにラック内を複数に区分して使用する場合が多い。
【０００５】
【発明が解決しようとする課題】
ところで前述のインターネットビジネスは、参入する企業や撤退する企業の入れ替わり、あるいは業務規模の拡大、縮小などが頻繁に行われるためサーバ機器収納用ラックもその都度それに適合する容積のものに交換しなければならず、不経済であるばかりではなくラックの有効利用が図れないなどの問題が生じている。
【０００６】
本発明はこれに鑑み、企業の業務の拡大、縮小等に対応してラック内への収納機器の収納スペースを適宜変更可能とし、特にスペースの変更後においてもセキュリティを確保することができるようにして、省スペース化、ローコスト化を図ることができるようにすることを課題としてなされたものである。
【０００７】
【課題を解決するための手段】
上記課題を解決する手段として本発明は、外郭を構成する架枠の内部を縦に仕切る縦仕切りと、同じく横に仕切る横仕切りとを有し、これら各仕切りにより区画されたスペースを個々に開閉するキーロック可能な開閉扉を備えたネットワーク機器類収納用ラックにおいて、前記縦仕切りは、前後の縦枠と、これら縦枠間を繋ぐ複数の横枠とを備え、少なくとも一面側の縦枠には上下の横枠間にスライドして挿入される縦仕切り板を挿通するスリット状の縦仕切り板挿通孔を設け、前記横仕切りは前記横枠間に取り付けて機器載置棚を構成し、前記一面側の縦枠の外面には前記縦仕切り板挿通孔を隠蔽するロック部材を添設し、このロック部材を縦枠にキーロックするようにしたことを特徴とする。
【０００８】
こうしたことにより、ラック内のネットワーク機器収納用スペースを拡大変更するには、事業者がキーを用いてロック部材のロックを解き、これを外して縦仕切り板を引き抜くことにより隣位のスペースが連通して一つの収納スペースとなり、そこにサーバ等の増設分を収納することができるスペースが形成される。
【０００９】
また上下のスペースを一つにする場合には横仕切りを取り外せば上下の２室が連なった収納スペースが形成される。
【００１０】
このように設定したのちロック部材を縦枠の外面に添わせてロックすれば、前記縦仕切り板は事業者以外の一般のユーザは引き抜くことができないので、他のユーザ用のスペース内の機器のセキュリティが保証される。
【００１１】
ラック内の機器収納用スペースを再び縮小する場合は、前記とは逆の操作を行えばよい。
【００１２】
【発明の実施の形態】
以下、本発明を図面に示す実施の形態を参照して説明する。
【００１３】
図１は本発明によるネットワーク機器類収納用ラック１の一実施形態の正面図を、図２は同側面図を、そして図３は同斜視図を示している。この実施形態では、内部がＡ〜Ｇの７ブロックのスペースに分割されているラックとした場合を示している。
【００１４】
上記ネットワーク機器類収納用ラック１の内部構造は、図示の実施形態では図７〜図１０に分解図として示すように４個の縦仕切り２，２，２，２により３つの領域３，３，３に区画され、これら縦仕切り２，２…の上部間は天板４，４，４で、同下部間は底板５，５，５で結合され、外側端の縦仕切り２，２の外面に側板６，６をビス等により固着することにより架枠７が構成されている。
【００１５】
したがってこの実施形態では、架枠７の右側または左側に縦仕切り２、天板４、底板５を増設することにより架枠７の大きさを任意に増大させることができる。しかし架枠７の大きさが予め定められている場合は左右端には縦仕切り２，２を用いず、単純な枠体と側体とで閉鎖した構造とすればよい。
【００１６】
前記縦仕切り２は、図４〜図６にその一つを示すように、前後の縦枠８，９と、これら縦枠８，９間を繋ぐ複数（図では５本）の横枠１０，１０…とを備える縦長矩形状を有し、一面側の縦枠８の前記横枠１０，１０…の上下間の位置には薄板状の縦仕切り板１１，１１…を挿通する縦長スリット状の縦仕切り板挿通孔１２，１２…が形成されている。符号１１ａは縦仕切り板１１の操作用つまみを示す。
【００１７】
前記横枠１０，１０…の上下に相対向する面には、前記縦仕切り板１１，１１…の上下端縁がスライド自在に嵌合する溝状のレール１３，１３が形成されている。
【００１８】
一面側の縦枠８の外面にはロック部材１４が着脱可能に設けられており、このロック部材１４は、前記縦枠８の縦仕切り板挿通孔１２，１２…を隠蔽し得る縦長状のもので、縦枠８にロックすることができるようになっている。
【００１９】
すなわちロック部材１４の下端近くには縦枠８の係止孔１５に挿入して係着する係止突起１６が突設され、上端近くには縦枠８のロック孔１７に挿入してロックするロック用突起１８（錠）が突設されており、前記係止突起１６およびロック用突起１８を係止孔１５およびロック孔１７に挿入したのちキー孔１９からキーを挿入してロックすることによりロック部材１４が離脱可能の状態に取り付けられる。そしてこのキーはデータセンタ事業者側で管理され、ユーザは縦仕切り板１１を引き抜くことはできない。
【００２０】
次に横仕切り２０は、前記縦仕切り８，９…の横枠１０，１０間にビス等により固着されて機器の載置棚を構成するもので、図１に示したラック１においては図において右端の領域３は横仕切りのない単一のスペースＡとされ、中央の領域３は上下方向中央位置に１枚の横仕切り２０を取り付けることにより上下に２つのスペースＢ，Ｃが形成され、左端の領域３は３枚の横仕切り２０，２０…を上下方向等間隔に取り付けることにより４つのスペースＤ，Ｅ，Ｆ，Ｇが形成されている。
【００２１】
これらスペースＡ〜Ｇの一面側および他面側には、図１０に示すように各スペースの開口面に適合する大きさの開閉扉２１Ａ〜２１Ｇが図示しないヒンジにより縦枠８，９に開閉自在に取り付けられている。これら開閉扉２１Ａ〜２１Ｇには錠２２がそれぞれ設けられており、ユーザに貸与されるキーによりユーザ自身でロック、アンロックができるようになっている。符号２１ａは開閉用の取手を示す。
【００２２】
したがってスペースＡは、側板６、天板４、底板５、縦仕切り２の縦仕切り板１１，１１…により完全に囲まれた独立の空間とされており、中央の領域３とは前記縦仕切り板１１，１１…の存在により隔絶されている。
【００２３】
中央の領域３のスペースＢ、Ｃは、左右の縦仕切り２、２の縦仕切り板１１、１１…と１枚の横仕切り２０と、天板４と、底板５とでそれぞれが独立して上下に形成されている。
【００２４】
スペースＤ〜Ｇは、側板６と、縦仕切り２の縦仕切り板１１、１１…と、３枚の横仕切り２０、２０、２０と、天板４と、底板５とでそれぞれが独立したスペースとされている。
【００２５】
これにより事業者はＡ〜Ｇのユーザにそれぞれ専用スペースとして貸与することができ、ユーザは自己のスペースの開閉扉２１Ａ〜２１Ｇを事業者から貸与されたキーにより開閉して機器のメンテナンスや配線等を行うことができる。
【００２６】
ユーザの要望等によりスペースを拡縮する必要が生じたときはその内部容積を変更することができる。例えばスペースＤとＥとを連通させるとともに中央の領域３の上部のスペースＢとを連通して一つのスペースとする場合について説明すると、事業者が中央の領域３と左側の領域３との間の縦仕切り２のロック部材１４のロックを解いてロック部材１４を外し、図１１に示すように上部から２枚の縦仕切り板１１、１１を抜きとるとともにスペースＤとＥとを仕切っていた横仕切り２０を取り外し、図１２に示すように開閉扉２１Ｄ、２１Ｅを中央領域３のスペースＢの開閉扉２１Ｂと同大の開閉扉２１Ｂに付け替え、再びロック部材１４を取り付けてロックすることにより図１３に示すユーザＢの専用スペースが元々のスペースＢの２倍の容積に拡大される。
【００２７】
スペースの内部容積を縮小する場合は、横仕切り２０の追加、開閉扉の変更によって小さいスペースに仕切ることができる。
【００２８】
このように縦仕切り板１１、横仕切り２０を着脱することで架枠７内のスペース区分を任意に変更することができ、ユーザ側の機器の増減に対し迅速に対応することができる。
【００２９】
図１４、図１５は縦仕切り２の他の変形例を示すもので、縦仕切り２の前面側の縦枠８には図１５のように３枚の縦仕切り板１１’、１１’、１１’を挿通する３つの縦長スリット状の縦仕切り板挿通孔１２’、１２’、１２’が形成されており、後面側の縦枠９には前記図４〜図６と同様に４枚の縦仕切り板１１、１１…を挿通する４つの縦仕切り板挿通孔１２、１２…が形成されている。そして前後の縦枠８、９とも前記と同様のロック部材１４、１４が添設されている。
【００３０】
したがって一つの領域を上下に３室のスペースに仕切るときは前面側のロック部材１４を外して３枚の縦仕切り板１１’、１１’…を挿入するとともにこれらの間の位置に横枠１０、１０…を取り付けて横仕切り２０、２０を取り付けるようにし、４室のスペースに仕切るときは後面側のロック部材１４を外して４枚の縦仕切り板１１、１１…を挿入するとともにこれらの間の位置に横枠１０、１０…を取り付けてその間に横仕切り２０、２０…を取り付けることにより４室のスペースを形成することができる。
【００３１】
図１６は、横仕切り２０の取り付けを容易とするようにした変形例を示すもので、横枠１０の側面に横仕切り２０の側端縁がスライド自在に嵌合し得る溝状のレール２３を形成し、横仕切り２０をスライドして着脱できるようにしたものである。この場合、横仕切り２０の挿脱はロック部材１４を外さない限り不可である。
【００３２】
図１７は、２個の単位型ラック２４、２４の解放された側面間に縦仕切り２を介在させ、その縦仕切り板１１、１１…を挿着または抜き取ることにより２個のラック２４、２４内を２つの独立したスペースまたは共通したスペースとして使用するようにしたものである。
【００３３】
【発明の効果】
以上説明したように本発明によれば、架枠内を仕切る縦仕切りを設け、この縦仕切りの縦枠に複数枚の縦仕切り板を挿入してこの縦仕切り板により隣位の領域と区分隔絶し、独立したスペースを構成するとともに、この縦枠の外面にロック部材を設けて縦仕切り板の抜き差しができないようにしたので、一旦区分されたスペースの独立性を完全に保つことができる。
【００３４】
したがって区分されたスペースを開閉する開閉扉のキーをユーザが持ち、ロック部材のキーを事業者が持つようにすれば、ラックに収納された各ユーザのネットワーク機器のセキュリティが保たれ、安全性を高めることができる。
【００３５】
一方、ユーザの機器の増減に対しては、前記縦仕切り板を抜きとることにより隣位の領域のスペースと一連となり、また横仕切りを取り外せば上下のスペースが一連となってユーザの専用スペースを拡大することができ、上記と逆の操作を行えばユーザの専用スペースを縮小させることができ、これらによりユーザの要求に対し迅速に対応することができるとともに、その都度ラック自体を交換するような不経済性もなく、設置スペースも増大することなく機器の収納効率を高めることができる。
【図面の簡単な説明】
【図１】本発明によるネットワーク機器類収納用ラックの一実施形態を示す正面図。
【図２】同、側面図。
【図３】同、斜視図。
【図４】縦仕切りの分解斜視図。
【図５】同、組み立て後の斜視図。
【図６】同、（Ａ）は側面図、（Ｂ）は（Ａ）のＡ−Ａ断面図。
【図７】架枠の組み立て過程を示す斜視図。
【図８】同、組み立て過程を示す斜視図。
【図９】同、組み立て過程を示す斜視図。
【図１０】同、組み立て過程を示す斜視図。
【図１１】ラック内のスペース変更時の操作過程を示す斜視図。
【図１２】同、変更完了時の操作過程を示す斜視図。
【図１３】同、変更後のラックの斜視図。
【図１４】縦仕切りの変形例を示す分解斜視図。
【図１５】縦仕切りの縦仕切り板を３枚とした場合の分解斜視図。
【図１６】横仕切りの取り付け手段の変形例を示す分解斜視図。
【図１７】架枠の変形例を示す分解斜視図。
【図１８】同、組み立て後の斜視図。
【符号の説明】
１  ネットワーク機器収納ラック
２  縦仕切り
３  領域
４  天板
５  底板
６  側板
７  架枠
８、９  縦枠
１０  横枠
１１、１１’  縦仕切り板
１２、１２’  縦仕切り板挿通孔
１３、２３  レール
１４  ロック部材
１５  係止孔
１６  係止突起
１７  ロック孔
１８  ロック用突起
１９  キー孔
２０  横仕切り
２１Ａ〜２１Ｇ  開閉扉
２２  錠
２４  単立型ラック
【図１】
0004472207.tif 000002
【図２】
0004472207.tif 000003
【図３】
0004472207.tif 000004
【図４】
0004472207.tif 000005
【図５】
0004472207.tif 000006
【図６】
0004472207.tif 000007
【図７】
0004472207.tif 000008
【図８】
0004472207.tif 000009
【図９】
0004472207.tif 000010
【図１０】
0004472207.tif 000011
【図１１】
0004472207.tif 000012
【図１２】
0004472207.tif 000013
【図１３】
0004472207.tif 000014
【図１４】
0004472207.tif 000015
【図１５】
0004472207.tif 000016
【図１６】
0004472207.tif 000017
【図１７】
0004472207.tif 000018
【図１８】
0004472207.tif 000019